(57)【要約】【課題】電子機器に内蔵された、あるいは、外部に接続された電源ユニットにおける待機電力の消費を抑制する。【解決手段】ハードディスクドライブ１００は、電源ユニット１１０と、商用電源から供給される商用電力を電源ユニット１１０に入力するか否かを切り換える入力切換スイッチ１１４と、入力切換スイッチ１１４を制御する制御部１２０と、を備える。制御部１２０は、パーソナルコンピュータＰＣから供給される電力を入力する電力入力部１２２と、パーソナルコンピュータＰＣから制御信号を入力する制御信号入力部１２３と、電力入力部１２２に電力が入力され、かつ、制御信号入力部１２３に制御信号が入力されたときに、商用電力を入力するように、入力切換スイッチ１１４を切り換えるべき商用電力入力信号を、入力切換スイッチ１１４に出力する切換信号出力部１２４と、を備える。【選択図】図１
2009258873.tif 000002
【特許請求の範囲】
【請求項１】
電子機器であって、
電源ユニットと、
商用電源から供給される商用電力を前記電源ユニットに入力するか否かを切り換える入力切換スイッチと、
前記入力切換スイッチを制御する制御部と、を備え、
前記制御部は、
他の電子機器から供給される電力を入力する電力入力部と、
前記他の電子機器から所定の制御信号を入力する制御信号入力部と、
前記電力入力部に前記電力が入力され、かつ、前記制御信号入力部に前記制御信号が入力されたときに、前記商用電力を入力するように、前記入力切換スイッチを切り換えるべき商用電力入力信号を、前記入力切換スイッチに出力する切換信号出力部と、を備える、
電子機器。
【請求項２】
請求項１記載の電子機器であって、
前記制御部は、前記切換信号出力部によって、前記商用電力入力信号を前記入力切換スイッチに出力した後、前記制御信号入力部に、所定時間、前記制御信号が入力されない場合に、前記商用電力の入力を遮断するように、前記入力切換スイッチを切り換えるべき商用電力遮断信号を、前記入力切換スイッチに出力する、
電子機器。
【請求項３】
請求項１または２記載の電子機器であって、
前記電力入力部は、前記他の電子機器から供給される電力を入力するか、前記電源ユニットから供給される電力を入力するかを切り換える電源切換スイッチを備え、
前記制御部は、前記切換信号出力部によって、前記商用電力入力信号を前記入力切換スイッチに出力したときに、前記電源ユニットから供給される電力を入力するように、前記電源切換スイッチを切り換える、
電子機器。
【請求項４】
請求項３記載の電子機器であって、
前記制御部は、前記切換信号出力部によって、前記商用電力入力信号を前記入力切換スイッチに出力した後、前記制御信号入力部に、所定時間、前記制御信号が入力されない場合に、前記他の電子機器から供給される電力を入力するように、前記電源切換スイッチを切り換える、
電子機器。
【請求項５】
請求項１ないし４のいずれかに記載の電子機器であって、
前記電子機器は、ハードディスクドライブであり、
前記他の電子機器は、パーソナルコンピュータである、
電子機器。
【請求項６】
請求項１ないし５のいずれかに記載の電子機器であって、
前記制御部と、前記他の電子機器とは、ＵＳＢ（Universal Serial Bus）ケーブルによって接続されており、
前記他の電子機器から供給される電力は、ＵＳＢバスパワーであり、
前記所定の制御信号は、ヘッダにＳＯＦ（Start of Frame）パケットを含む、
電子機器。
【請求項７】
電子機器であって、
他の電子機器から供給される電力を入力する電力入力部と、
前記他の電子機器から所定の制御信号を入力する制御信号入力部と、
前記電力入力部に前記電力が入力され、かつ、前記制御信号入力部に前記制御信号が入力されたときに、前記電子機器の外部に接続され、商用電源から商用電力を入力か否かを切り換える入力切換スイッチを有する電源ユニットに、前記商用電力を入力するように、前記入力切換スイッチを切り換えるべき商用電力入力信号を出力する切換信号出力部と、
を備える電子機器。
【請求項８】
商用電源、および、電子機器に接続される電源ユニットであって、
前記電子機器から入力された所定の信号に応じて、前記商用電源からの商用電力を入力するか否かを切り換える入力切換スイッチを備える、
電源ユニット。
【発明の詳細な説明】
【技術分野】
【０００１】
本発明は、電子機器、および、電源ユニットに関するものである。
【背景技術】
【０００２】
パーソナルコンピュータに接続され、パーソナルコンピュータの電源のＯＮ／ＯＦＦに連動して、電源がＯＮ／ＯＦＦされるハードディスクドライブ等の、いわゆる周辺機器（電子機器）が普及している。このような電子機器では、ユーザが周辺機器の使用時に電源のＯＮ／ＯＦＦ操作を行う必要がないため、利便性が高い。また、パーソナルコンピュータの電源がＯＦＦのときには、周辺機器の電源が自動的にＯＦＦにされるので、周辺機器の消費電力を抑制することができる。
【０００３】
そして、従来、パーソナルコンピュータの電源のＯＮ／ＯＦＦに連動して、電源がＯＮ／ＯＦＦされる機能を有する電子機器について、種々の技術が提案されている（例えば、下記特許文献１参照）
【０００４】
【特許文献１】特開２００４−２３４３３４号公報
【発明の開示】
【発明が解決しようとする課題】
【０００５】
ところで、上述した機能を有する電子機器には、ＡＣアダプタ（電源ユニット）が内蔵されたり、外部に接続されたりする。そして、このＡＣアダプタには、商用電源（例えば、ＡＣ１００（Ｖ））が接続され、ＡＣアダプタは、パーソナルコンピュータの電源がＯＦＦの間も、常に待機状態にある。このため、ＡＣアダプタでは、待機電力が消費されることになる。しかし、従来、このＡＣアダプタにおける待機電力の消費を抑制することについては考慮されていなかった。
【０００６】
本発明は、上述の課題を解決するためになされたものであり、電子機器に内蔵された、あるいは、外部に接続された電源ユニットにおける待機電力の消費を抑制することを目的とする。
【課題を解決するための手段】
【０００７】
本発明は、上述の課題の少なくとも一部を解決するために以下の形態又は適用例として実現することが可能である。
【０００８】
［適用例１］電子機器であって、電源ユニットと、商用電源から供給される商用電力を前記電源ユニットに入力するか否かを切り換える入力切換スイッチと、前記入力切換スイッチを制御する制御部と、を備え、前記制御部は、他の電子機器から供給される電力を入力する電力入力部と、前記他の電子機器から所定の制御信号を入力する制御信号入力部と、前記電力入力部に前記電力が入力され、かつ、前記制御信号入力部に前記制御信号が入力されたときに、前記商用電力を入力するように、前記入力切換スイッチを切り換えるべき商用電力入力信号を、前記入力切換スイッチに出力する切換信号出力部と、を備える、電子機器。
【０００９】
適用例１の電子機器では、上記制御部は、他の電子機器から供給された電力によって起動する。また、適用例１の電子機器は、商用電源から供給される商用電力を電源ユニットに入力するか否かを切り換える入力切換スイッチを有している。そして、この入力切換スイッチは、他の電子機器から上記電力入力部に電力が入力され、かつ、上記制御信号入力部に上記制御信号が入力されて、上記切換信号出力部から上記商用電力入力信号が出力されるまでの待機期間は、ＯＦＦの状態となる。したがって、入力切換スイッチがＯＦＦの間は、電源ユニットに商用電力が供給されず、電子機器に備えられた電源ユニットにおける待機電力の消費を抑制することができる。なお、本適用例の電子機器において、電源ユニット、および、入力切換スイッチは、電子機器の筐体の内部に内蔵されているものとしてもよいし、電子機器の筐体の外部に接続されているものとしてもよい。また、電源ユニットの内部に入力切換スイッチを備えるようにしてもよい。
【００１０】
［適用例２］適用例１記載の電子機器であって、前記制御部は、前記切換信号出力部によって、前記商用電力入力信号を前記入力切換スイッチに出力した後、前記制御信号入力部に、所定時間、前記制御信号が入力されない場合に、前記商用電力の入力を遮断するように、前記入力切換スイッチを切り換えるべき商用電力遮断信号を、前記入力切換スイッチに出力する、電子機器。
【００１１】
適用例２の電子機器では、制御部が、切換信号出力部によって、商用電力入力信号を入力切換スイッチに出力した後、制御信号入力部に、所定時間、制御信号が入力されない場合に、商用電力の入力を遮断するように、入力切換スイッチを切り換えることができる。したがって、さらに、電子機器の省電力化を図ることができる。
【００１２】
［適用例３］適用例１または２記載の電子機器であって、前記電力入力部は、前記他の電子機器から供給される電力を入力するか、前記電源ユニットから供給される電力を入力するかを切り換える電源切換スイッチを備え、前記制御部は、前記切換信号出力部によって、前記商用電力入力信号を前記入力切換スイッチに出力したときに、前記電源ユニットから供給される電力を入力するように、前記電源切換スイッチを切り換える、電子機器。
【００１３】
適用例３の電子機器では、制御部は、切換信号出力部によって、商用電力入力信号を入力切換スイッチに出力したときに、他の電子機器から供給される電力を遮断し、電源ユニットから供給される電力によって駆動するので、他の電子機器がバッテリによって駆動する、いわゆる携帯型の電子機器である場合に、バッテリの電力の消費を抑制することができる。
【００１４】
［適用例４］適用例３記載の電子機器であって、前記制御部は、前記切換信号出力部によって、前記商用電力入力信号を前記入力切換スイッチに出力した後、前記制御信号入力部に、所定時間、前記制御信号が入力されない場合に、前記他の電子機器から供給される電力を入力するように、前記電源切換スイッチを切り換える、電子機器。
【００１５】
適用例４の電子機器では、制御部が、切換信号出力部によって、商用電力入力信号を電源ユニットに出力した後、制御信号入力部に、所定時間、制御信号が入力されない場合に、他の電子機器から供給される電力を入力するように、電源切換スイッチを切り換えて、制御信号の入力を待機することができる。したがって、電子機器の省電力化を図ることができる。
【００１６】
［適用例５］適用例１ないし４のいずれかに記載の電子機器であって、前記電子機器は、ハードディスクドライブであり、前記他の電子機器は、パーソナルコンピュータである、電子機器。
【００１７】
［適用例６］適用例１ないし５のいずれかに記載の電子機器であって、前記制御部と、前記他の電子機器とは、ＵＳＢ（Universal Serial Bus）ケーブルによって接続されており、前記他の電子機器から供給される電力は、ＵＳＢバスパワーであり、前記所定の制御信号は、ヘッダにＳＯＦ（Start of Frame）パケットを含む、電子機器。
【００１８】
なお、本発明の電子機器と他の電子機器とは、ＵＳＢケーブルの代わりに、例えば、ＩＥＥＥ１３９４ケーブルや、ｅＳＡＴＡ（external Serial ATA）ケーブルや、ＬＡＮケーブル等、制御信号とともに電力を供給可能なケーブルによって接続されるようにしてもよい。この場合、制御信号は、各規格に応じて、適宜、変更される。また、本発明の電子機器において、他の電子機器からの制御信号、および、電力を、別々のケーブルを用いて入力するようにしてもよい。
【００１９】
［適用例７］電子機器であって、他の電子機器から供給される電力を入力する電力入力部と、前記他の電子機器から所定の制御信号を入力する制御信号入力部と、前記電力入力部に前記電力が入力され、かつ、前記制御信号入力部に前記制御信号が入力されたときに、前記電子機器の外部に接続され、商用電源から商用電力を入力か否かを切り換える入力切換スイッチを有する電源ユニットに、前記商用電力を入力するように、前記入力切換スイッチを切り換えるべき商用電力入力信号を出力する切換信号出力部と、を備える電子機器。
【００２０】
適用例７の電子機器では、他の電子機器から電力入力部に電力が入力され、かつ、制御信号入力部に制御信号が入力されたときに、本適用例の電子機器の外部に接続され、商用電源から商用電力を入力か否かを切り換える入力切換スイッチを有する電源ユニットに、商用電力入力信号を出力する。そして、上記電源ユニットの入力切換スイッチは、本適用例の電子機器から出力される商用電力入力信号が入力されるまでの待機期間は、ＯＦＦの状態である。したがって、電子機器の外部に接続された電源ユニットにおける待機電力の消費を抑制することができる。
【００２１】
［適用例８］商用電源、および、電子機器に接続される電源ユニットであって、前記電子機器から入力された所定の信号に応じて、前記商用電源からの商用電力を入力するか否かを切り換える入力切換スイッチを備える、電源ユニット。
【００２２】
適用例８の電源ユニットは、上記入力切換スイッチを備えており、この電源ユニットが接続された電子機器から所定の信号が入力されるまでの待機期間は、ＯＦＦの状態である。したがって、電子機器の外部に接続された電源ユニットにおける待機電力の消費を抑制することができる。なお、本適用例の電源ユニットは、先述した適用例７の電子機器の外部に接続されて利用される。
【００２３】
本発明は、上述した種々の特徴の一部を、適宜、組み合わせて構成することもできる。また、本発明は、上述の電子機器、電源ユニットとしての構成の他、電子機器や、電源ユニットの制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２４】
本発明をコンピュータプログラムまたはそのプログラムを記録した記録媒体等として構成する場合には、電子機器や、電源ユニットの動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２５】
以下、本発明の実施の形態について、実施例に基づき説明する。
Ａ．第１実施例：
Ａ１．システム構成：
図１は、本発明の第１実施例としてのコンピュータシステム１０００の概略構成を示す説明図である。このコンピュータシステム１０００は、パーソナルコンピュータＰＣと、ハードディスクドライブ１００とを備えている。パーソナルコンピュータＰＣには、キーボードＫＢや、マウスＭＳや、ディスプレイＤＰが接続されている。また、パーソナルコンピュータＰＣと、ハードディスクドライブ１００とは、ＵＳＢケーブル１５０によって接続されている。ハードディスクドライブ１００は、本発明における電子機器に相当する。また、パーソナルコンピュータＰＣは、本発明における他の電子機器に相当する。
【００２６】
ハードディスクドライブ１００は、筐体内に、電源ユニット１１０と、入力切換スイッチ１１４と、制御部１２０と、ハードディスク１３０とを備えている。
【００２７】
電源ユニット１１０は、入力切換スイッチ１１４を介して、電源ケーブル１４０によって、商用電源（例えば、ＡＣ１００（Ｖ））に接続されている。この電源ユニット１１０は、ＡＣ／ＤＣコンバータ１１２を備えている。入力切換スイッチ１１４は、初期状態では、図示するように、ＯＦＦに設定されており、入力切換スイッチ１１４に、後述する商用電力入力信号が入力されたときに、ＯＮに切り換えられる。ＡＣ／ＤＣコンバータ１１２は、ＡＣ１００（Ｖ）を、例えば、ＤＣ１２（Ｖ）に変換して、ハードディスク１３０に電力を供給する。なお、ＡＣ／ＤＣコンバータ１１２の二次側の電圧は、例えば、ハードディスク１３０の仕様に応じて、任意に設定可能である。
【００２８】
制御部１２０は、インターフェース（Ｉ／Ｆ）１２１と、電力入力部１２２と、制御信号入力部１２３と、切換信号出力部１２４と、駆動制御部１２５と、リード／ライト制御部１２６とを備えている。本実施例では、これらの各部を、ハードウェアによって構成するものとしたが、これらのうちの一部を、ソフトウェアによって構成するものとしてもよい。
【００２９】
インターフェース１２１は、パーソナルコンピュータＰＣとの信号のやり取りを行う。電力入力部１２２は、ＵＳＢケーブル１５０、および、インターフェース１２１を介して、パーソナルコンピュータＰＣから、ＵＳＢバスパワー（ＤＣ５（Ｖ））を入力する。制御信号入力部１２３は、ＵＳＢケーブル１５０、および、インターフェース１２１を介して、パーソナルコンピュータＰＣから、ハードディスク１３０を駆動するための制御信号を入力する。本実施例では、パーソナルコンピュータＰＣと、ハードディスクドライブ１００とは、ＵＳＢケーブル１５０によって接続されているので、制御信号入力部１２３には、ヘッダにＳＯＦパケットを含む制御信号が入力される。切換信号出力部１２４は、電力入力部１２２にＵＳＢバスパワーが入力され、かつ、制御信号入力部１２３に制御信号が入力されたときに、入力切換スイッチ１１４に、入力切換スイッチ１１４をＯＮにするべき商用電力入力信号を出力する。駆動制御部１２５は、制御信号入力部１２３に入力された制御信号に従って、ハードディスク１３０の駆動を制御する。リード／ライト制御部１２６は、制御信号入力部１２３に入力された制御信号に従って、ハードディスク１３０からのデータの読み出し、および、ハードディスク１３０へのデータの書き込みを制御する。
【００３０】
Ａ２．起動制御：
図２は、ハードディスクドライブ１００の起動制御の流れを示すフローチャートである。パーソナルコンピュータＰＣが起動されて、パーソナルコンピュータＰＣから、電力入力部１２２にＵＳＢバスパワーが入力されると（ステップＳ１００）、制御部１２０が起動する。その後、パーソナルコンピュータＰＣから、制御信号入力部１２３に、ＳＯＦパケットを含む制御信号が入力されると（ステップＳ１１０）、制御部１２０は、切換信号出力部１２４によって、入力切換スイッチ１１４に、商用電力入力信号を出力する（ステップＳ１２０）。そして、入力切換スイッチ１１４は、入力された商用電力入力信号に応じて、ＯＮに切り換わる（ステップＳ１３０）。このようにして、ハードディスクドライブ１００は、パーソナルコンピュータＰＣの起動に連動して起動する。
【００３１】
Ａ３．動作制御：
図３は、ハードディスクドライブ１００の起動後のハードディスクドライブ１００の動作制御の流れを示すフローチャートである。
【００３２】
制御部１２０は、制御信号入力部１２３にＳＯＦパケットを含む制御信号が入力されたか否かを判断する（ステップＳ２００）。制御信号入力部１２３に制御信号が入力された場合には（ステップＳ２００：ＹＥＳ）、制御部１２０は、入力された制御信号に従って、駆動制御部１２５、および、リード／ライト制御部１２６によって、ハードディスク１３０の動作を制御する（ステップＳ２１０）。
【００３３】
次に、制御部１２０は、電力入力部１２２へのＵＳＢバスパワーの供給が遮断されたか否かを判断する（ステップＳ２２０）。電力入力部１２２へのＵＳＢバスパワーの供給が遮断されていない場合には（ステップＳ２２０：ＮＯ）、ステップＳ２００に戻る。一方、電力入力部１２２へのＵＳＢバスパワーの供給が遮断された場合には（ステップＳ２２０：ＹＥＳ）、制御部１２０の動作は終了する。このとき、入力切換スイッチ１１４は、自動的にＯＦＦに切り換わる。
【００３４】
ステップＳ２００において、制御信号入力部１２３に制御信号が入力されていない場合には（ステップＳ２００：ＮＯ）、制御部１２０は、前回、制御信号が入力されてから所定時間が経過したか否かを判断する（ステップＳ２３０）。所定時間は、任意に設定可能である（例えば、３０秒）。所定時間が経過していない場合には（ステップＳ２３０：ＮＯ）、ステップＳ２００に戻る。一方、所定時間が経過した場合には（ステップＳ２３０：ＹＥＳ）、制御部１２０は、切換信号出力部１２４によって、入力切換スイッチ１１４に、商用電力遮断信号を出力する（ステップＳ２４０）。そして、入力切換スイッチ１１４は、入力された商用電力遮断信号に応じて、ＯＦＦに切り換わり（ステップＳ２５０）、ハードディスク１３０への電力供給は停止される。こうすることによって、ハードディスクドライブ１００の省電力化を図ることができる。
【００３５】
なお、この場合、制御部１２０は、パーソナルコンピュータＰＣから供給されるＵＳＢバスパワーによって起動中であるため、ハードディスクドライブ１００に、例えば、操作ボタンを設けるようにし、ユーザがこの操作ボタンを操作したときに、切換信号出力部１２４によって、再度、商用電力入力信号を入力切換スイッチ１１４に出力して、入力切換スイッチ１１４をＯＮに切り換えるようにしてもよい。
【００３６】
パーソナルコンピュータＰＣの電源のＯＮ／ＯＦＦに連動して、電源がＯＮ／ＯＦＦされる従来のハードディスクドライブでは、パーソナルコンピュータＰＣの電源がＯＦＦの間も、電源ユニットは、常に待機状態にあり、待機電力が消費されていた。これに対し、上述した第１実施例のハードディスクドライブ１００は、商用電源から供給される商用電力を電源ユニット１１０に入力するか否かを切り換える入力切換スイッチ１１４を備えており、この入力切換スイッチ１１４は、パーソナルコンピュータＰＣから電力入力部１２２にＵＳＢバスパワーが入力され、かつ、制御信号入力部１２３に制御信号が入力されて、切換信号出力部１２４から商用電力入力信号が出力されるまでの待機期間は、ＯＦＦの状態となる。したがって、入力切換スイッチ１１４がＯＦＦの間は、電源ユニット１１０に商用電力が供給されず、ハードディスクドライブ１００に内蔵された電源ユニット１１０における待機電力の消費を抑制することができる。
【００３７】
Ｂ．第２実施例：
Ｂ１．システム構成：
図４は、本発明の第２実施例としてのコンピュータシステム１０００Ａの概略構成を示す説明図である。このコンピュータシステム１０００Ａは、バッテリで駆動する携帯型パーソナルコンピュータＰＣｍと、ハードディスクドライブ１００Ａと、電源ユニット２００とを備えている。携帯型パーソナルコンピュータＰＣｍと、ハードディスクドライブ１００Ａとは、ＵＳＢケーブル１５０によって接続されている。
【００３８】
本実施例のコンピュータシステム１０００Ａにおいて、ハードディスクドライブ１００Ａは、第１実施例のハードディスクドライブ１００とは異なり、筐体内に、制御部１２０Ａと、ハードディスク１３０とを備えており、ハードディスクドライブ１００Ａと、電源ユニット２００とは、ケーブル２３０によって接続されている。
【００３９】
電源ユニット２００は、商用電源（例えば、ＡＣ１００（Ｖ））に接続されている。この電源ユニット２００は、ＡＣ／ＤＣコンバータ２１０と、ＡＣ／ＤＣコンバータ２１０の一次側に接続された入力切換スイッチ２２０とを備えている。入力切換スイッチ２２０は、初期状態では、図示するように、ＯＦＦに設定されており、電源ユニット２００に、後述する商用電力入力信号が入力されたときに、ＯＮに切り換えられる。ＡＣ／ＤＣコンバータ２１０は、ＡＣ１００（Ｖ）を、例えば、ＤＣ１２（Ｖ）に変換して、ケーブル２３０を介して、ハードディスクドライブ１００Ａに電力を供給する。
【００４０】
制御部１２０Ａは、第１実施例における制御部１２０と同様に、インターフェース（Ｉ／Ｆ）１２１と、電力入力部１２２と、制御信号入力部１２３と、切換信号出力部１２４と、駆動制御部１２５と、リード／ライト制御部１２６とを備えている。そして、制御部１２０Ａは、さらに、ＤＣ／ＤＣコンバータ１２７と、電源切換スイッチ１２２ｓｗとを備えている。
【００４１】
インターフェース（Ｉ／Ｆ）１２１と、電力入力部１２２と、制御信号入力部１２３と、切換信号出力部１２４と、駆動制御部１２５と、リード／ライト制御部１２６との機能は、第１実施例と同じであるので、説明を省略する。ＤＣ／ＤＣコンバータ１２７は、電源ユニット２００から供給されたＤＣ１２（Ｖ）を、ＵＳＢバスパワーと同じＤＣ５（Ｖ）に変換する。電源切換スイッチ１２２ｓｗは、電力入力部１２２に、携帯型パーソナルコンピュータＰＣｍから供給されたＵＳＢバスパワーを入力するか、電源ユニット２００から供給された電力、すなわち、ＤＣ／ＤＣコンバータ１２７によって変換された電力を入力するかを切り換える。この電源切換スイッチ１２２ｓｗは、初期状態では、図示するように、携帯型パーソナルコンピュータＰＣｍから供給されたＵＳＢバスパワーを入力するように設定されている。
【００４２】
Ｂ２．起動制御：
図５は、ハードディスクドライブ１００Ａ、および、電源ユニット２００の起動制御の流れを示すフローチャートである。携帯型パーソナルコンピュータＰＣｍが起動されて、携帯型パーソナルコンピュータＰＣｍから、電力入力部１２２にＵＳＢバスパワーが入力されると（ステップＳ３００）、ハードディスクドライブ１００Ａの制御部１２０Ａが起動する。そして、携帯型パーソナルコンピュータＰＣｍから、制御信号入力部１２３に、ＳＯＦパケットを含む制御信号が入力されると（ステップＳ３１０）、制御部１２０Ａは、切換信号出力部１２４によって、電源ユニット２００に、商用電力入力信号を出力する（ステップＳ３２０）。そして、電源ユニット２００は、制御部１２０Ａから、商用電力入力信号が入力されると、入力切換スイッチ２２０をＯＮにする（ステップＳ３３０）。そして、制御部１２０Ａは、電源ユニット２００から供給された電力が、電力入力部１２２に入力されるように、電源切換スイッチ１２２ｓｗを切り換える。このようにして、ハードディスクドライブ１００Ａ、および、電源ユニット２００は、携帯型パーソナルコンピュータＰＣｍの起動に連動して起動する。
【００４３】
Ｂ３．動作制御：
図６は、ハードディスクドライブ１００Ａ、および、電源ユニット２００の起動後のハードディスクドライブ１００Ａ、および、電源ユニット２００の動作制御の流れを示すフローチャートである。この動作制御の流れは、第１実施例におけるハードディスクドライブ１００の起動後のハードディスクドライブ１００の動作制御の流れとほぼ同じである。
【００４４】
制御部１２０Ａは、制御信号入力部１２３にＳＯＦパケットを含む制御信号が入力されたか否かを判断する（ステップＳ４００）。制御信号入力部１２３に制御信号が入力された場合には（ステップＳ４００：ＹＥＳ）、制御部１２０Ａは、入力された制御信号に従って、駆動制御部１２５、および、リード／ライト制御部１２６によって、ハードディスク１３０の動作を制御する（ステップＳ４１０）。
【００４５】
次に、制御部１２０Ａは、電力入力部１２２へのＵＳＢバスパワーの供給が遮断されたか否かを判断する（ステップＳ４２０）。電力入力部１２２へのＵＳＢバスパワーの供給が遮断されていない場合には（ステップＳ４２０：ＮＯ）、ステップＳ４００に戻る。一方、電力入力部１２２へのＵＳＢバスパワーが遮断された場合には（ステップＳ４２０：ＹＥＳ）、制御部１２０Ａの動作は終了する。このとき、電源切換スイッチ１２２ｓｗは、自動的に初期状態に切り換わり、また、電源ユニット２００の入力切換スイッチ２２０も自動的にＯＦＦに切り換わる。
【００４６】
ステップＳ４００において、制御信号入力部１２３に制御信号が入力されていない場合には（ステップＳ４００：ＮＯ）、制御部１２０Ａは、前回、制御信号が入力されてから所定時間が経過したか否かを判断する（ステップＳ２３０）。所定時間が経過していない場合には（ステップＳ４３０：ＮＯ）、ステップＳ４００に戻る。一方、所定時間が経過した場合には（ステップＳ４３０：ＹＥＳ）、制御部１２０Ａは、切換信号出力部１２４によって、電源ユニット２００に、商用電力遮断信号を出力する（ステップＳ４４０）。そして、電源ユニット２００は、入力された商用電力遮断信号に応じて、入力切換スイッチ２２０をＯＦＦに切り換え（ステップＳ２５０）、ハードディスク１３０への電力供給を停止する。そして、制御部１２０Ａは、電源切換スイッチ１２２ｓｗを、初期状態、すなわち、電力入力部１２２に携帯型パーソナルコンピュータＰＣｍから供給されるＵＳＢバスパワーが入力されるように切り換える（ステップＳ４６０）。
【００４７】
なお、この場合、第１実施例と同様に、制御部１２０Ａは、携帯型パーソナルコンピュータＰＣｍから供給されるＵＳＢバスパワーによって起動中であるため、ハードディスクドライブ１００Ａに、例えば、操作ボタンを設けるようにし、ユーザがこの操作ボタンを操作したときに、切換信号出力部１２４によって、再度、商用電力入力信号を電源ユニット２００に出力して、入力切換スイッチ２２０をＯＮに切り換えるようにしてもよい。
【００４８】
以上説明した第２実施例のハードディスクドライブ１００Ａ、および、電源ユニット２００によれば、ハードディスクドライブ１００Ａの外部に接続された電源ユニット２００が、商用電源から供給される商用電力を入力するか否かを切り換える入力切換スイッチ２２０を備えており、この入力切換スイッチ２２０は、携帯型パーソナルコンピュータＰＣｍから電力入力部１２２にＵＳＢバスパワーが入力され、かつ、制御信号入力部１２３に制御信号が入力されて、切換信号出力部１２４から商用電力入力信号が出力されるまでの待機期間は、ＯＦＦの状態となる。したがって、ハードディスクドライブ１００Ａの外部に接続された電源ユニット２００における待機電力の消費を抑制することができる。
【００４９】
また、上記第２実施例のハードディスクドライブ１００Ａは、電力入力部１２２に、携帯型パーソナルコンピュータＰＣｍから供給されたＵＳＢバスパワーを入力するか、電源ユニット２００から供給された電力を入力するかを切り換える電源切換スイッチ１２２ｓｗを備えており、電源ユニット２００から供給される電力を入力可能になったときに、電源切換スイッチ１２２ｓｗを切り換えて、制御部１２０Ａは、電源ユニット２００から供給される電力によって動作する。したがって、携帯型パーソナルコンピュータＰＣｍが備えるバッテリの電力の消費を抑制することができる。
【００５０】
Ｃ．第３実施例：
図７は、本発明の第３実施例としてのコンピュータシステム１０００Ｂの概略構成を示す説明図である。このコンピュータシステム１０００Ｂは、ＬＡＮ（Local Area Network）に接続され、商用電力によって動作するスイッチングハブ３００と、電源ユニット２００と、パーソナルコンピュータＰＣ１〜ＰＣ６とを備えている。スイッチングハブ３００と、電源ユニット２００とは、ケーブル２３０によって接続されている。また、パーソナルコンピュータＰＣ１〜ＰＣ６と、スイッチングハブ３００とは、それぞれ、ＬＡＮケーブルｃａｂ１〜ｃａｂ６によって接続されている。なお、本実施例における電源ユニット２００は、第２実施例における電源ユニット２００と同じである。スイッチングハブ３００は、本発明における電子機器に相当する。また、パーソナルコンピュータＰＣ１〜ＰＣ６は、本発明における他の電子機器に相当する。
【００５１】
図示、および、詳細な説明は省略するが、スイッチングハブ３００は、第２実施例におけるハードディスクドライブ１００Ａに備えられた制御部１２０Ａと同様の制御部を備えている。そして、スイッチングハブ３００に備えられた制御部は、パーソナルコンピュータＰＣ１〜ＰＣ６のうちのいずれかが起動されると、その起動されたパーソナルコンピュータＰＣから、ＬＡＮケーブルを介して供給された電力によって起動し、制御信号が入力されると、電源ユニット２００に、商用電力入力信号を出力する。そして、電源ユニット２００は、スイッチングハブ３００の制御部から商用電力入力信号が入力されると、入力切換スイッチ２２０をＯＮに切り換える。また、電源ユニット２００は、スイッチングハブ３００の制御部から商用信号遮断信号が入力されると、入力切換スイッチ２２０をＯＦＦに切り換える。
【００５２】
以上説明した第３実施例のコンピュータシステム１０００Ｂによっても、第２実施例のコンピュータシステム１０００Ａと同様に、スイッチングハブ３００に接続された電源ユニット２００における待機電力の消費を抑制することができる。
【００５３】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００５４】
Ｄ１．変形例１：
上記実施例では、本発明を、ハードディスクドライブ１００，１００Ａや、スイッチングハブ３００に適用した場合について説明したが、本発明は、これらに限られない。本発明は、パーソナルコンピュータＰＣ等の電子機器からから供給された電力によって起動し、制御信号を入力して、商用電力によって動作する種々の電子機器に適用可能である。このような電子機器としては、例えば、いわゆる外付け用のＭＯドライブ、ＣＤドライブ、ＤＶＤドライブ、フラッシュメモリドライブ等の外部記憶装置や、オーディオ機器や、プリンタや、モデムや、セルフパワーＵＳＢハブ等が挙げられる。
【００５５】
Ｄ２．変形例２：
上記実施例では、パーソナルコンピュータＰＣ，ＰＣ１〜ＰＣ６や、携帯型パーソナルコンピュータＰＣｍから、ハードディスクドライブ１００や、ハードディスクドライブ１００Ａや、スイッチングハブ３００に、電力と制御信号を供給するものとしたが、本発明は、これに限られない。パーソナルコンピュータＰＣ，ＰＣ１〜ＰＣ６や、携帯型パーソナルコンピュータＰＣｍの代わりに、電力と制御信号とを供給可能な他の電子機器を用いるようにしてもよい。
【００５６】
Ｄ３．変形例：
上記第１実施例、および、第２実施例では、パーソナルコンピュータＰＣ、携帯型パーソナルコンピュータＰＣｍと、ハードディスクドライブ１００，１００Ａとは、ＵＳＢケーブル１５０によって接続されるものとし、第３実施例では、パーソナルコンピュータＰＣ１〜ＰＣ６と、スイッチングハブ３００とは、それぞれ、ＬＡＮケーブルｃａｂ１〜ｃａｂ６によって接続されるものとしたが、本発明は、これに限られない。例えば、第１実施例、および、第２実施例において、ＵＳＢケーブル１５０の代わりに、ＩＥＥＥ１３９４ケーブルや、ｅＳＡＴＡケーブルを用いるようにしてもよい。こうすることによっても、パーソナルコンピュータＰＣからハードディスクドライブ１００や、ハードディスクドライブ１００Ａにバスパワー、および、制御信号を入力することができる。
【００５７】
また、本発明の電子機器は、一般に、他の電子機器から、電力と制御信号とを入力可能であればよい。したがって、本発明の電子機器と、他の電子機器との接続は、ＵＳＢケーブルや、ＩＥＥＥ１３９４ケーブルや、ｅＳＡＴＡケーブルや、ＬＡＮケーブル等を用いて、１本のケーブルで行う必要は無く、電力を入力するためのケーブルと、制御信号を入力するためのケーブルとを別々に用いるようにしてもよい。
【００５８】
Ｄ４．変形例４：
上記第２実施例では、電源ユニット２００は、その内部にＡＣ／ＤＣコンバータ２１０と、入力切換スイッチ２２０との双方を備えるものとしたが、本発明は、これに限られない。
【００５９】
図８は、変形例としての電源ユニット２００Ａの概略構成を示す説明図である。図示するように、この電源ユニット２００Ａは、電源ユニット２００Ａ本体の一次側の外部に、入力切換スイッチ２２０Ａを備えている。そして、この入力切換スイッチ２２０Ａは、第２実施例における入力切換スイッチ２２０と同様に、初期状態ではＯＦＦであり、ハードディスクドライブ１００Ａの切換信号出力部１２４から出力された商用電力入力信号、および、商用電力遮断信号によって、ＯＮ／ＯＦＦ制御される。このような電源ユニット２００Ａによっても、電源ユニット２００と同様に、電源ユニット２００Ａにおける待機電力の消費を抑制することができる。
【図面の簡単な説明】
【００６０】
【図１】本発明の第１実施例としてのコンピュータシステム１０００の概略構成を示す説明図である。
【図２】ハードディスクドライブ１００の起動制御の流れを示すフローチャートである。
【図３】ハードディスクドライブ１００の起動後のハードディスクドライブ１００の動作制御の流れを示すフローチャートである。
【図４】本発明の第２実施例としてのコンピュータシステム１０００Ａの概略構成を示す説明図である。
【図５】ハードディスクドライブ１００Ａ、および、電源ユニット２００の起動制御の流れを示すフローチャートである。
【図６】ハードディスクドライブ１００Ａ、および、電源ユニット２００の起動後のハードディスクドライブ１００Ａ、および、電源ユニット２００の動作制御の流れを示すフローチャートである。
【図７】本発明の第３実施例としてのコンピュータシステム１０００Ｂの概略構成を示す説明図である。
【図８】変形例としての電源ユニット２００Ａの概略構成を示す説明図である。
【符号の説明】
【００６１】
１０００，１０００Ａ，１０００Ｂ…コンピュータシステム
１００，１００Ａ…ハードディスクドライブ
１１０…電源ユニット
１１２…ＡＣ／ＤＣコンバータ
１１４…入力切換スイッチ
１２０，１２０Ａ…制御部
１２１…インターフェース
１２２…電力入力部
１２２ｓｗ…電源切換スイッチ
１２３…制御信号入力部
１２４…切換信号出力部
１２５…駆動制御部
１２６…リード／ライト制御部
１２７…ＤＣ／ＤＣコンバータ
１３０…ハードディスク
１４０…電源ケーブル
１５０…ＵＳＢケーブル
２００，２００Ａ…電源ユニット
２１０…ＡＣ／ＤＣコンバータ
２２０，２２０Ａ…入力切換スイッチ
２３０…ケーブル
３００…スイッチングハブ
ＰＣ，ＰＣ１〜ＰＣ６…パーソナルコンピュータ
ＫＢ…キーボード
ＭＳ…マウス
ＤＰ…ディスプレイ
ＰＣｍ…携帯型パーソナルコンピュータ
【図１】
2009258873.tif 000003
【図２】
2009258873.tif 000004
【図３】
2009258873.tif 000005
【図４】
2009258873.tif 000006
【図５】
2009258873.tif 000007
【図６】
2009258873.tif 000008
【図７】
2009258873.tif 000009
【図８】
2009258873.tif 000010